(57)【要約】【解決手段】  平行に間隔を空けて配置された脚部（１１及び１２）と、ループ状隣接部（１３）と、ヘッド（１６及び１７）を有する自由端（１４及び１５）とを具備する「Ｕ」字型部を有するヘッド付きループアンカー（１０）である。前記ヘッド付きループアンカーは、曲げて後、前記脚部から前記ヘッドを鍛造することにより一体化したアンカーとして形成される。使用に際しては、前記ヘッド付きループアンカーを平行に間隔を空けて配置することにより、前記ループ状部分（１３）がスラブから突出するようにし、これにより、適切なコネクターを用いて前記ループ部分（１３）をフックで留め、隣接するコンクリート部分を１つに接続できるようにする。【選択図】      図４
2009533580.tif 000002
【特許請求の範囲】
【請求項１】
ヘッド付きループアンカーであって、
「Ｕ」字型アンカー部であって、
平行に間隔を空けて配置されたアンカー部であって、各アンカー部分はそれぞれ自由端を有する前記アンカー部と、
前記平行に間隔を空けて配置された脚部間を繋ぐループ部であって、前記脚部の各自由端はヘッドを有するものである、前記ループ部と、
を具備する「Ｕ」字型アンカー部を有し、
前記ヘッド付きループアンカーは、コンクリートスラブに前記ループ部が当該スラブから突出した状態で配置可能であり、且つ、後にコンクリートが流し込まれる隣接するスラブの鉄筋に接続するようになっているものである、
ヘッド付きループアンカー。
【請求項２】
請求項１記載のヘッド付きループアンカーにおいて、前記アンカー部のサイズおよび配置、前記脚部の長さ、前記ヘッドのサイズおよび形状は、前記ヘッド付きループアンカーを、コンクリートスラブに備わっているケージ補強材を通して簡単に挿入し適切な位置に配置されるものである。
【請求項３】
請求項１記載のヘッド付きループアンカーにおいて、このヘッド付きループアンカーは、熱間鍛造加工により、前記ループアンカーの材料で形成されたヘッドを有する一体型ユニットとして形成されるものである。
【請求項４】
請求項１記載のヘッド付きループアンカーにおいて、前記ループアンカーの材料は少なくとも６００グレードワイヤである。
【請求項５】
請求項１記載のヘッド付きループアンカーにおいて、前記ループアンカーは少なくとも６００グレード高張力ワイヤの硬ワイヤで形成されるものである。
【請求項６】
請求項１〜５のいずれかに記載のヘッド付きループアンカーを間隔を空けて配置したコンクリートスラブを有する部分的に完成したコンクリート建築物であって、前記ヘッド付きループアンカーのループ部が前記コンクリートスラブから突出しているものである部分的に完成したコンクリート建築物。
【請求項７】
請求項６記載の部分的に完成したコンクリート建築物において、前記ヘッド付きループアンカーのヘッドは深さ１２０ｍｍ〜１７０ｍｍで配置されるものである。
【請求項８】
請求項６記載の部分的に完成されたコンクリート建築物において、前記ヘッド付きループアンカーの寸法およびコンクリートの強度は、テストリグで前記ヘッド付きループアンカーより先にコンクリートが破壊されるように設定されるものである。
【請求項９】
請求項１〜５のいずれかに記載のヘッド付きループアンカーを保持する、間隔を空けて配置されるボックスを有するリベート型枠であって、当該ボックスは後壁を有し、当該後壁を通して前記各ループアンカーのループ部は前記ボックスの中へ突出し、前記各ループアンカーの脚部は前記ボックスの外へ突出し、前記ボックスには当該ボックスを閉じる着脱可能なカバーが備わり、前記カバーを取り外して前記ボックス内の前記ループを露出することも可能であるリベート型枠。
【請求項１０】
請求項６〜８のいずれかに記載の部分的に完成されたコンクリート建築物において、請求項９記載のリベート型枠ボックスが使用されるものである。
【請求項１１】
請求項１〜５記載のヘッド付きループアンカーと、隣接するコンクリートスラブの補強材に前記ヘッド付きループアンカーを接続するために用いられるコネクターとの組み合わにおいて、前記コネクターは前記ヘッド付きループアンカーのループ部分に前記コネクターを連結するため一方の側にループ連結手段を有し、前記隣接するコンクリートスラブの補強材に前記コネクターを連結するためもう一方の側に補強材連結手段を有する装置を有するものである。
【請求項１２】
ヘッド付きループコネクターを用いて２つの隣接するコンクリートスラブを１つに接続する方法であって、この方法は、
前記２つのスラブのうち第１のスラブに補強材を設置する工程と、
複数のヘッド付きループアンカーの脚部を、コンクリートが流し込まれたときに前記第１のスラブから前記ループ部が突出するように前記補強材の中に配置する工程と、
前記第１のスラブを流し込む工程と、
第２のスラブを流し込む準備を始めるため前記第１のスラブを十分に硬化させる工程と、
前記ヘッド付きループアンカーを前記第２のスラブにある補強鋼に継接した後に前記第２のスラブを流し込む工程と
を有する方法。
【請求項１３】
請求項１２記載の方法において、前記ヘッド付きループアンカーは請求項１〜５に記載のいずれかのヘッド付きループアンカーを有するものである。
【請求項１４】
請求項１２記載の方法において、前記ヘッド付きループアンカーは請求項１〜５に記載のいずれかのヘッド付きループアンカーを有し、これらアンカーはボックス形の筐体に収納されるものであるる。
【請求項１５】
請求項１２記載の方法において、そのヘッド付きループアンカーは請求項１〜５に記載のいずれかのヘッド付きループアンカーを有するものであって、第１のスラブの補強材に挿入される前に請求項９のボックスに配置されるものである。
【請求項１６】
請求項１〜５のいずれかに記載のヘッド付きループアンカーは、コンクリートスラブとの継接に使われるものである。
【請求項１７】
隣接するコンクリートスラブの継接を補助するヘッド付きループアンカーであって、
間隔を空けて配置された脚部と、
前記脚部間を繋ぐループ部と
を有し、
前記各脚部はツバ状に広がったヘッドを有するものである
ヘッド付きループアンカー。
【請求項１８】
請求項１７記載のヘッド付きループアンカーにおいて、前記ヘッド付きループアンカーはＵ字型である。
【発明の詳細な説明】
【技術分野】
【０００１】
本発明はコンクリート建築物の建設に使用されるアンカーに関し、特に、これに限定されるものではないが、「Ｕ」字型をしたループ状のアンカーに関するものであり、前記アンカーは、前記ループが壁または同様のもののリベートで使用されている隣接する床の補強構造に前記ループ状のアンカーを接続させるコンクリートコネクターを使用する際のコンクリートの床との関連で使用されるものである。
【背景技術】
【０００２】
壁にリベートを用い、補強材を前記リベートから突出させ、前記突出した補強材を床に継接し、前記床の端を前記リベートに流し込む工法は一般的である。最も一般的な方法は、カバーを有するリベートボックスを水平に壁の型枠に取り付けて配置するものである。壁にコンクリートを流し込み、カバーを前記リベートボックスから取り除くことで、リベートボックスに保持されている補強継手配筋が露出される。これらの継手配筋は通常、工場で前記ボックス内に予め曲げ入れられており、それを曲げ伸ばすことにより前記リベートから突出される。これらの継手配筋は床のコンクリートの流し込みに備えて前記床の補強材に継接され、そこにコンクリートが流し込まれることにより、前記床の補強材は前記壁に継接される。
【０００３】
この方法に替わり近年では、前記配筋を曲げ伸ばす代わりに、カバーがリベートボックスから取り除かれるに際し、リベートから突き出たループと床からの鉄筋棒をコネクターで前記ループに接合する方法がある。
【０００４】
前記ループは、前記ループを形成する鉄筋棒に様々な曲げ方を施すことによって前記壁の補強材に固定される。「ペーパークリップ」として知られる１つの形態では、前記ループ部分はペーパークリップ型の構造の一部となる。これらは、補強鉄筋棒を１．５回巻くことによって変形された補強鉄筋棒によって形成される。前記ループの一端にあるオーバーラップした部分の鉄筋棒が前記壁へのアンカーを形成し、単一の「Ｕ」字型をしたもう一端は最終的にリベート内に突出してコネクターを介して床補強材に接続される。このタイプのアンカーは製造が難しく、更に、閉じられたループであるため壁のコンクリートの流し込みの前に前記壁内の補強ケージ鉄筋棒間に設置するのが困難である。
【０００５】
パネルを接合するためにコンクリートに補強材を接続および継接することは、ループ工法を含む多くの様々な技法および器具が用いられる複雑な技術である。Ｈｉｌｆｉｋｅｒらが所有する米国特許第４，３２４，５０８号明細書は、間隔を空けて置かれたＵ字型のループ状鉄筋棒の使用について開示しており、この鉄筋棒は曲げられた脚部と接続ウェブ部分とを有し、前記ウェブ部分は壁または床から突出しており、前記ウェブ部分と前記壁または床間には空隙がある。この空隙を利用して前記ループを隣接する部分の鋼材に継接する。前記ループ状鉄筋棒を定位置に維持するために、前記曲げられた脚部は、前記ループに対し９０度の角度である１つまたは複数の鉄筋棒および平行に間隔を空けて置かれた相互接続した隣接するループに予め溶接される。
【０００６】
Ｕ字型工法は、アンカーを持ち上げることを含む他の目的のためにも用いられる。Ｌａｎｃｅｌｏｔ，ＩＩＩらが所有する米国特許第６，０８２，７００号明細書は、脚部と前記脚部の端の保持材とを有するＵ字型アンカーについて開示しており、前記保持材の断面がより大きいことにより、各脚部はコンクリート構造内に前記アンカーを連結および保持することができる。前記アンカーは取り外し可能な空洞形成器を用いて作られた凹部内に頂点を有する。前記アンカーを引き上げ機またはクレーンと共に用いることにより、前記コンクリートを持ち上げることができる。
【０００７】
単純なＵボルトを含め基本的なＵ字型装置はよく知られており、長年よく知られたものであるが、本発明は隣接するスラブに鉄鋼を継接するプロセスの新規且つシンプルな応用に関する。
【０００８】
本発明の目的は、有用な代替方法を一般大衆に提供するだけでなく前述したペーパークリップ型式の工法に伴う問題を克服することにもなる代替アンカーを提供することである。
【発明の開示】
【課題を解決するための手段】
【０００９】
１つの広範な観点において、本発明は、隣接するコンクリートスラブの継接を補助するヘッド付きループアンカーの使用をその観点とする。好ましくは、前記ヘッド付きループアンカーはＵ字型である。
【００１０】
したがって、本発明の好ましい１観点において、本発明は、自由端を有する平行に間隔を空けて置かれたアンカー部分と、前記平行に間隔を空けて置かれた脚部間をつなぐループ部分とを有する「Ｕ」字型アンカーを有するヘッド付きループアンカーをその観点とし、前記脚部の前記自由端は各々ヘッドを有し、前記ヘッド付きループアンカーは、前記スラブから突出した状態で前記ループ部分を前記コンクリートスラブに配置可能であり、且つ、後にコンクリートが流し込まれる隣接するスラブ内の補強鉄筋棒に接続するために適応されるものである。
【００１１】
通常、前記ループアンカーのサイズおよび配列、脚部の長さ、および前記ヘッドのサイズおよび形状は、前記ヘッド付きループアンカーを、コンクリートスラブに備わっているケージ補強材を通して簡単に挿入し通常の手順に従って配置することを可能にするものである。
【００１２】
好ましくは、前記ヘッド付きループアンカーは、熱間鍛造加工によって前記ループアンカー材料で形成されたヘッドを有する一体化された装置である。
【００１３】
好ましくは、前記ループアンカーの材料は少なくとも６００グレードのワイヤである。より好ましくは、前記ループアンカーは少なくとも６００グレードのワイヤの硬ワイヤで形成されるものであり、６７０グレードの高張力ワイヤが好ましい。
【００１４】
本発明の別の観点は、上述の間隔を空けて置かれたヘッド付きループアンカーを使用する部分的に完成したコンクリート建築物にあり、前記ヘッド付きループのループ状部分は前記部分的に完成したコンクリート建築物から突出している。
【００１５】
好ましくは、前記ヘッド付きループアンカーは１２０ｍｍ〜１７０ｍｍの深さに固定配置されるヘッドを有する。これは当然、そのコンクリートの強度に依存する。通常は、テストリグで前記ヘッド付きループアンカーより先にコンクリートが破壊されるように前記ヘッド付きループアンカーのサイズおよびコンクリートの強度を設定する。
【００１６】
さらに別の観点で、本発明は間隔を空けて置かれた上述のヘッド付きループアンカーを保持する箱を有するリベート型枠を提供するものであり、この箱は後壁を有し、この後壁を通してループは前記箱内に突出し、脚部は前記箱の外へ突出し、前記箱を閉じるための取り外し可能なカバーがあり、このカバーは前記箱内のループを露出するために取り外すことができる。
【００１７】
本発明の好ましい形において、前記ヘッド付きループアンカーの各々のヘッドはコンクリートに固定されておらずコンクリート内の鉄鋼に溶接されていないが、ある程度は継接される場合があるものと理解される。
【００１８】
さらに別の観点において、上述のヘッド付きループアンカーと、前記ヘッド付きループアンカーを隣接するコンクリートスラブの補強材に接続するのに用いられるコネクターとの組み合わせが提供され、前記コネクターは一方の側部にループを連結する手段を有し、もう一方の側部に補強材を連結する手段を有する装置を有するものである。
【００１９】
更なる観点において、ヘッド付きループを用いて２つの隣接するコンクリートスラブを１つに接続する方法が提供され、この方法は、前記２つのスラブのうち第１のスラブに補強材を設定する工程と、複数のヘッド付きループアンカーの脚部を、コンクリートが流し込まれたときに前記第１のスラブから前記ループ部分が突出するように前記補強材の中に配置する工程と、前記第１のスラブを流し入れる工程と、第２のスラブを流し込む準備を始めるために前記第１のスラブを十分に養生する工程と、前記ヘッド付きループアンカーを前記第２のスラブにある補強鋼に継接した後に前記第２のスラブを流し込む工程とを有する。好ましくは、前記方法は上述のヘッド付きループアンカーを用いる。
【発明を実施するための最良の形態】
【００２０】
まず図１および図２を参照すると、平行に間隔を空けて置かれた脚部１１および１２と、ループ状の隣接部１３と、ヘッド１６および１７を有する自由端１４および１５とを有する「Ｕ」字型部分を有するヘッド付きループアンカー１０が図示されている。前記ヘッド付きループアンカーは、曲げてからヘッドを鍛造することにより一体化したアンカーとして形成される。
【００２１】
図の実施形態の鉄筋棒は直径１３．６ｍｍであり、図のループ部分の内径は４８ｍｍである。脚部の間隔も４８ｍｍである。ヘッドの厚みは最も厚い所で７．３ｍｍであり、各ヘッドの直径は３５ｍｍである。各ヘッドの面積は通常、前記鉄筋棒の横断面の面積の４〜５倍である。
【００２２】
使用に際しては、前記ヘッド付きループアンカーを図３に図示するように平行に間隔を空けて配置することにより前記ループ状部分１３がスラブから突出するようにし、それによって適切なコネクター（図示せず）を用いて前記ループ部分１３をフックし、隣接するコンクリートセクションと１つに接続できるようにする。
【００２３】
脚部１１は予めコンクリートが流入されたスラブに突出した状態で保持され、整合の目的でスラブの補強材に適切に継接される。
【００２４】
図４は部分的に完成したコンクリート建築物１８を図示し、この場合、前記建築物は、本発明のヘッド付きループアンカーを含む予め取り外されたリベート型枠によってリベート２０が形成された壁１９を有する。カバーを取り外すとヘッド付きループアンカー１０の突出したループ部分１３が露出され、前記ヘッド付き部分および脚部は前記コンクリート壁１９に固定される。
【００２５】
したがって、点線２１が図示する床を固定し、前記リベート２０および前記ループ１３に接続された床の補強材にコンクリートを流し込むことが可能であると理解される。
【００２６】
図５は、単純なフック２１を含む様々な使用可能なコネクターの例を図示するものであり、鉄筋２２が前記フック２１のネジ穴に固定されている。別の方法として底部２５および上部（図示せず）の２部から成るコネクター２４が可能であり、前記底部はＤ型の部分２６および２７を有し、これらの部分がループと一致し、ループ２８がループアンカー１０と接続される。
【００２７】
本発明の実施例について上述してきたが、添付の特許請求の範囲に記述した本発明の意図および範囲から逸脱しない多くの変更および修正があることは当業者には明白である。
【図面の簡単な説明】
【００２８】
本発明をよりわかりやすく実際的に説明するために、本発明の好ましい実施形態を図示する図面を参照として添付する。
【図１】図１は、通常のヘッド付きループアンカーの平面図である。
【図２】図２は、前記ループアンカーの透視図である。
【図３】図３は、スラブ接合での実用的配置に置かれた４つのヘッド付きループアンカーを示す平面図である（他の補強材およびスラブは図示せず）。
【図４】図４は、壁リベートで本発明のヘッド付きループアンカーを利用した部分的に完成したコンクリート建築物を示す概略図である。
【図５】図５は、壁リベートで本発明のヘッド付きループアンカーを利用した部分的に完成したコンクリート建築物を示す概略図であり、隣接する床の鋼材に前記ループを継接するためにコネクターが使われている。
【図１】
2009533580.tif 000003
【図２】
2009533580.tif 000004
【図３】
2009533580.tif 000005
【図４】
2009533580.tif 000006
【図５】
2009533580.tif 000007
【国際調査報告】
2009533580.tif 000008
2009533580.tif 000009
2009533580.tif 000010